(57)【要約】継続的なアップリンクおよびダウンリンク・リソース割り当てを可能にする、装置、方法、コンピュータ・プログラム、システムおよび回路が提供される。この方法には、ワイヤレス・ネットワーク無線ネットワーク層での単一のシグナリング・イベントによって、複数の時間間隔にわたるデータ・フローに関しユーザ機器へリソースを割り当てることと、割り当てられたリソースについてユーザ機器に知らせることと、が含まれる。【選択図】図５
2009525656.tif 000002
【特許請求の範囲】
【請求項１】
ワイヤレス・ネットワーク無線ネットワーク層での単一のシグナリング・イベントによって、複数の時間間隔にわたるデータ・フローに関してユーザ機器へリソースを割り当てることと、
前記割り当てられたリソースについて、前記ユーザ機器に知らせることと、
を含む、方法。
【請求項２】
前記割り当てられたリソースについて、物理層の制御／管理機能に知らせることをさらに含む、請求項1に記載の方法。
【請求項３】
前記割り当てられたリソースについて前記物理層制御／管理機能に知らせることが、少なくとも1つのCPHY制御メッセージを使用することを含む、請求項2に記載の方法。
【請求項４】
前記割り当てることが、設定されている新たなデータ・フローに応えて実行される、請求項1に記載の方法。
【請求項５】
前記割り当てられたリソースについて前記ユーザ機器に知らせることが、無線リソース制御シグナリングを使用することを含む、請求項1に記載の方法。
【請求項６】
前記割り当てることが、前記無線ネットワーク層において入手可能な情報のみを考慮することを含む、請求項1に記載の方法。
【請求項７】
前記割り当てることが、前記無線ネットワーク層以外の少なくとも1つの層から得られる情報を少なくとも部分的に考慮することを含む、請求項1に記載の方法。
【請求項８】
前記情報が、セル・ベースの測定値、リンク・ベースの測定値、チャネル品質表示、周波数リソース・プール当たりの負荷、時間リソース・プール当たりの負荷、ならびにモジュレーションおよびコーディング方式、のうちの少なくとも1つを含む、請求項7に記載の方法。
【請求項９】
前記情報が、物理層のコンポーネントから得られる、請求項7に記載の方法。
【請求項１０】
前記方法が、媒体アクセス制御層のコンポーネントから得られる、請求項7に記載の方法。
【請求項１１】
前記ユーザ機器の無線リソース要求の変動に対応するように、少なくとも1つのリソースを割り当てることをさらに含む、請求項1に記載の方法。
【請求項１２】
前記割り当てることが、新たな割り当て、または既存の割り当ての修正のうちの1つを提案する、Node Bの媒体アクセス制御層パケット・スケジューラに応えて実行される、請求項1に記載の方法。
【請求項１３】
前記方法は、各々のデータ・フローに関して継続的割り当てが使用または修正される必要があるか否かを判断することを含み、前記割り当てることは、各々のデータ・フローに関して継続的割り当てが使用または修正される必要があるとの判断に応えて、前記各々のデータ・フローに関して前記継続的割り当てを割り当てることを含む、請求項1に記載の方法。
【請求項１４】
前記各々のデータ・フローに関して継続的割り当てが使用または修正される必要があるか否かを判断することが、前記各々のデータ・フローのタイプ、前記各々のデータ・フローに関連する各々のユーザ機器のQoS要求、セル内のアクティブなユーザ機器の総数、他のユーザ機器によって現在使用中であるデータ・フローのタイプ、前記他のユーザ機器のリソース割り当て、関連するネットワークにおける現在の負荷のうちの少なくとも1つを考慮することを含む、請求項13に記載の方法。
【請求項１５】
前記複数の時間間隔が、複数のサブフレームを含む、請求項1に記載の方法。
【請求項１６】
有形のコンピュータ可読媒体上に具現化されているプログラム命令を含むコンピュータ・プログラムであって、前記プログラム命令が実行されると、
ワイヤレス・ネットワーク無線ネットワーク層での単一のシグナリング・イベントによって、複数の時間間隔にわたるデータ・フローに関してユーザ機器へリソースを割り当てることと、
前記割り当てられたリソースについて、前記ユーザ機器に知らせることと、
を含む動作が生じる、コンピュータ・プログラム。
【請求項１７】
前記プログラム命令が実行されると、
前記割り当てリソースについて、物理層制御／管理機能に知らせること、
をさらに含む動作が生じる、請求項16に記載のコンピュータ・プログラム。
【請求項１８】
前記割り当てることが、設定されている新たなデータ・フローに応えて実行される、請求項16に記載のコンピュータ・プログラム。
【請求項１９】
前記割り当てられたリソースについて前記ユーザ機器に知らせることが、無線リソース制御シグナリングを使用することを含む、請求項16に記載のコンピュータ・プログラム。
【請求項２０】
前記割り当てることが、前記無線ネットワーク層以外の少なくとも1つの層から得られる情報を少なくとも部分的に考慮することを含む、請求項16に記載のコンピュータ・プログラム。
【請求項２１】
前記情報が、セル・ベースの測定値、リンク・ベースの測定値、チャネル品質表示、周波数リソース・プール当たりの負荷、時間リソース・プール当たりの負荷、ならびにモジュレーションおよびコーディング方式、のうちの少なくとも1つを含む、請求項20に記載のコンピュータ・プログラム。
【請求項２２】
前記情報が、物理層のコンポーネントから得られる、請求項20に記載のコンピュータ・プログラム。
【請求項２３】
前記割り当てることが、新たな割り当て、または現行の割り当ての修正を提案する、Node Bの媒体アクセス制御層パケット・スケジューラに応えて実行される、請求項16に記載のコンピュータ・プログラム。
【請求項２４】
前記プログラム命令を実行すると、各々のデータ・フローに関して継続的割り当てが使用または修正される必要があるか否かを判断することをさらに含む動作が生じ、前記割り当てることは、各々のデータ・フローに関して継続的割り当てが使用または変更される必要があるとの判断に応えて、前記各々のデータ・フローに関して前記継続的割り当てを割り当てることを含み、前記各々のデータ・フローに関して継続的割り当てが使用または修正される必要があるか否かを判断することは、前記各々のデータ・フローのタイプ、前記各々のデータ・フローに関連する各々のユーザ機器のQoS要求、セル内のアクティブなユーザ機器の総数、他のユーザ機器によって現在使用中であるデータ・フローのタイプ、前記他のユーザ機器のリソース割り当て、関連するネットワークにおける現在の負荷のうちの少なくとも1つを考慮することを含む、請求項16に記載のコンピュータ・プログラム。
【請求項２５】
単一のシグナリング・イベントによって、複数の時間間隔に対してユーザ機器にリソースを割り当てるように構成されている無線ネットワーク層コンポーネントと、
前記無線ネットワーク層コンポーネントに接続されているトランスミッタであって、前記トランスミッタは前記割り当てられたリソースについて示す情報を前記ユーザ機器へ伝送するように構成されている、前記トランスミッタと、
を含む、デバイス。
【請求項２６】
前記無線ネットワーク層コンポーネントが、前記割り当てられたリソースについて物理層の制御／管理機能に知らせるようにさらに構成されている、請求項25に記載のデバイス。
【請求項２７】
前記割り当てられたリソースについて前記ユーザ機器に知らせることが、無線リソース制御シグナリングを使用することを含む、請求項25に記載のデバイス。
【請求項２８】
ユーザ機器と、
ワイヤレス・ネットワーク無線ネットワーク層での単一のシグナリング・イベントによって、複数の時間間隔に関し前記ユーザ機器へリソースを割り当てるように構成されており、さらに前記割り当てられたリソースについて前記ユーザ機器に知らせるように構成されている、基地局と、
を含む、システム。
【請求項２９】
前記基地局が、前記割り当てられたリソースについて物理層の制御／管理機能に知らせるようにさらに構成されている、請求項28に記載のシステム。
【請求項３０】
前記割り当てられたリソースについて前記ユーザ機器に知らせることが、無線リソース制御シグナリングを使用することを含む、請求項28に記載のシステム。
【請求項３１】
ワイヤレス・ネットワーク無線ネットワーク層での単一のシグナリング・イベントによって、複数の時間間隔に対してユーザ機器へリソースを割り当てるように構成されている管理機能を含む、回路。
【請求項３２】
前記管理機能が、前記割り当てられたリソースについて前記ユーザ機器に知らせるようにさらに構成されている、請求項31に記載の回路。
【請求項３３】
前記管理機能が、前記割り当てられたリソースについて物理層の制御／管理機能に知らせるようにさらに構成されている、請求項32に記載の回路。
【請求項３４】
前記割り当てられたリソースについて前記ユーザ機器に知らせることが、無線リソース制御シグナリングを使用することを含む、請求項32に記載の回路。
【請求項３５】
データ・フローに関して継続的リソースをユーザ機器へ割り当てる手段を含む無線ネットワーク層と、
前記割り当てられた継続的リソースについて物理層に知らせるための、前記無線ネットワーク層と前記物理層との間の通信手段と、
を含む、ワイヤレス・ネットワーク・コンポーネント。
【請求項３６】
前記割り当てることが、前記物理層から得られる情報を少なくとも部分的に考慮することを含む、請求項35に記載のワイヤレス・ネットワーク・コンポーネント。
【請求項３７】
前記割り当てることが、媒体アクセス制御層から得られる情報を少なくとも部分的に考慮することを含む、請求項35に記載のワイヤレス・ネットワーク・コンポーネント。
【発明の詳細な説明】
【技術分野】
【０００１】
本発明の代表的な実施形態は、一般に、ワイヤレス通信システムおよびデバイスに関し、特に、ワイヤレス・ネットワークと、セルラ式電話などのユーザ機器（UE：user equipment）との間における、データのパケット・モード伝送に関する。
【背景】
【０００２】
以下の略語は、本明細書において次の通り定義される。
【０００３】
BTS  基地局（base station）
【０００４】
DL  ダウンリンク（downlink）（Node BからUE）
【０００５】
FDMA  周波数分割多元接続（frequency division multiple access）
【０００６】
IP  インターネット・プロトコル（internet protocol）
【０００７】
L1  第1層（layer 1）（物理層，PHY）
【０００８】
L2  第2層（layer 2）（媒体アクセス制御，MAC）
【０００９】
L3  第3層（layer 3）（無線ネットワーク層，RNL）
【００１０】
LTE  UTRANのロング・ターム・エボリューション（long term evolusion）
【００１１】
MAC  媒体アクセス制御（medium access control）（第2層，L2）
【００１２】
Node B  基地局（base station）
【００１３】
OFDMA  直交周波数分割多元接続（orthogonal frequency division multiple access）
【００１４】
PDCP  パケット・データ・コンバージェンス・プロトコル（packet data convergence protocol）
【００１５】
PHY  物理層（physical layer）（第1層，L1）
【００１６】
QoS  サービス品質（quality of service）
【００１７】
RNL  無線ネットワーク層（radio network layer）（第3層，L3）
【００１８】
RRC  無線リソース制御（radio resource control）
【００１９】
SAP  サービス・アクセス・ポイント（service access point）
【００２０】
SFN  システム・フレーム番号（system frame number）
【００２１】
TTI  伝送時間間隔（transmission time interval）
【００２２】
UE  ユーザ機器（user equipment）
【００２３】
UL  アップリンク（uplink）（UEからNode B）
【００２４】
UTRAN  ユニバーサル地上無線アクセス・ネットワーク（universal terrestrial radio access network）
【００２５】
VoIP  ヴォイス・オーバーIP（voice over IP）
【００２６】
時に3.9Gと称されることもあるUTRAN LTEを考察するに当たって妥当な機能上の想定は、システムが主としていわゆるワン・タイムの割り当て（one time allocation）に依拠するということであり、その場合、サービング・セルは、或るUEに伝送リソースが割り当てられるサブフレームごとに、このUEへ明示的に信号を送る。伝送リソースを割り当てるシグナリングは、第1層（物理層）の割り当てテーブルの一部として送信することができる。しかしながら、割り当てテーブルは、有限である利用可能な帯域幅をいくらか消耗してしまう、シグナリングにおけるオーバーヘッドである。
【摘要】
【００２７】
本発明の代表的な一態様では、方法が、ワイヤレス・ネットワーク無線ネットワーク層での単一のシグナリング・イベントによって、複数の時間間隔にわたるデータ・フローに関しユーザ機器へリソースを割り当てることと、割り当てられたリソースについてユーザ機器に知らせることと、を含む。
【００２８】
本発明の別の代表的な態様では、コンピュータ・プログラムが提供される。コンピュータ・プログラムは、有形のコンピュータ可読媒体上に具現化されたプログラム命令を備える。プログラム命令の実行によって以下の動作が起こる：ワイヤレス・ネットワーク無線ネットワーク層での単一のシグナリング・イベントによって、複数の時間間隔にわたるデータ・フローに関しユーザ機器へリソースを割り当てること；割り当てられたリソースについてユーザ機器に知らせること。
【００２９】
本発明のさらなる代表的な態様では、デバイスが、単一のシグナリング・イベントによって、複数の時間間隔に関しユーザ機器へリソースを割り当てるように構成されている無線ネットワーク層コンポーネントと、無線ネットワーク層コンポーネントに接続されているトランスミッタであって、割り当てられたリソースについて示す情報をユーザ機器へ伝送するように構成されているトランスミッタと、を含む。
【００３０】
本発明の別の代表的な態様では、システムが、ユーザ機器と基地局とを含む。基地局は、ワイヤレス・ネットワーク無線ネットワーク層での単一のシグナリング・イベントによって、複数の時間間隔に関しユーザ機器へリソースを割り当てるように構成されており、さらに割り当てられたリソースについてユーザ機器に知らせるように構成されている。
【００３１】
本発明のさらなる代表的な態様では、回路が、ワイヤレス・ネットワーク無線ネットワーク層での単一のシグナリング・イベントによって、複数の時間間隔に関しユーザ機器へリソースを割り当てるように構成されている管理機能を含む。
【００３２】
本発明の別の代表的な態様では、ワイヤレス・ネットワーク・コンポーネントが、データ・フローに関しユーザ機器へ継続的リソースを割り当てる手段を含む無線ネットワーク層と、割り当てられた継続的リソースについて物理層に知らせるための、無線ネットワーク層と物理層との間の通信手段と、を含む。
【図面の簡単な説明】
【００３３】
本発明の実施形態の上記およびその他の態様は、添付の図面と併せて読むと、以下の詳細な説明でさらに明らかなものとなる。
【００３４】
【図１】本発明の代表的な実施形態の実行用に適した多様な電子デバイスの簡略化したブロック図である。
【００３５】
【図２】本発明の代表的な実施形態による、Node Bの無線ネットワーク層に常駐している継続的リソース割り当て機能からの、一ユーザに対する伝送リソースの周期的な割り当ての一例を示す図である。
【００３６】
【図３】本発明の代表的な実施形態による、継続的割り当ておよびワン・タイムの（一時的な）割り当ての双方が適用される、ハイブリッド型手法の一例を示す図である。
【００３７】
【図４】UEへの継続的リソース割り当ての形成を制御する無線ネットワーク層について説明する、Node Bのプロトコル・スタックのブロック図である。
【００３８】
【図５】本発明の代表的な実施形態を実行する方法の限定されない一例を示すフロー図である。
【詳細な説明】
【００３９】
本発明の代表的な実施形態は、その一態様として、伝送リソースのパターンを特定のUEに予め割り当てることによって、シグナリング・オーバーヘッドを低減する。この手順は、限定されない意味で、継続的割り当てまたは半静的割り当てと称すこともでき、1つより多くの伝送間隔（例えば、1つより多くのサブフレーム）に関するリソースの割り当てを意味する。本発明の代表的な実施形態は、継続的割り当てをサポートする、物理層の態様および第3層のシグナリング機構の双方に関係する。本発明の代表的な実施形態は、アップリンク（UEからワイヤレス・ネットワーク）およびダウンリンク（ワイヤレス・ネットワークからUE）のいずれにも適用可能である。
【００４０】
本発明の代表的な実施形態の使用は、特に、UTRAN LTEに適しており、UTRAN LTE向けに機能強化された動作を提供する。UTRAN LTEは、DLではOFDMAに、ULではシングル・キャリアFDMAに依拠し、この場合のDLおよびUL双方に関する従来型のデフォルトの想定は、1.0msecのTTIごとの高速スケジューリング／ユーザ多重化（すなわち、ワン・タイムの割り当て）を使用することである。一方、当然のことながら、本発明の少なくとも一部の態様は、より広範な適用性を有し、他のタイプのネットワークおよびシステムに用いてもよい。
【００４１】
まず図1を参照すると、本発明の代表的な実施形態の実行用に適した多様な電子デバイスの簡略化したブロック図が示されている。図1では、ワイヤレス・ネットワーク1が、Node B（基地局）12を介してUE 10と通信するようになっている。ネットワーク1は、少なくとも1つのネットワーク制御機能（NCF：network control function）14を含むとよい。UE 10は、データ・プロセッサ（DP：data processor）10Aと、プログラム（PROG：program）10Cを保存するメモリ（MEM：memory）10Bと、Node B(12)との双方向ワイヤレス通信用の適切な無線周波数（RF：radio frequency）トランシーバ10Dとを含み、Node Bも同様に、DP 12Aと、PROG12Cを保存するMEM12Bと、適切なRFトランシーバ12Dとを含む。Node B(12)は、データ・パス13を介してNCF14に接続されており、NCFも同様に、DP 14Aと、関連するPROG14Cを保存するMEM14Bとを含む。以下にさらに詳細に述べるように、PROG10C、12Cおよび14Cのうちの少なくとも1つが、関連するDPによって実行されると本発明の代表的な実施形態に従って電子デバイスを動作可能にさせるプログラム命令を含むと想定される。
【００４２】
UE 10は、少なくともL1（PHY）、L2（RLL）およびL3（RNL）の層群を含み加えて通常は上位層群（例えばIP層など）をも含むプロトコル・スタック10Eを、含んで実装すると想定される。図4にさらに詳しく示すように、Node B(12)は、やはり少なくともL1（PHY）、L2（RLL）およびL3（RNL）の層群を含み加えて通常は上位層群（例えばIP層など）をも含むプロトコル・スタック12Eを、含んで実装すると想定される。以下により詳細に述べるように、Node B(12)のL2（MAC層）はPDCP32Bの機能を含み、L3（RNL）はRRC34Aの機能を含む。
【００４３】
一般に、UE 10の多様な実施形態には、セルラ式電話、ワイヤレス通信能力を有するパーソナル・デジタル・アシスタント（PDA：personal digital assistant）、ワイヤレス通信能力を有する携帯用コンピュータ、ワイヤレス通信能力を有するデジタル・カメラなどの画像取り込み用デバイス、ワイヤレス通信能力を有するゲーム・デバイス、ワイヤレス通信能力を有する音楽保存および再生用機器、ワイヤレスのインターネット・アクセスおよびブラウジングを可能にするインターネット機器のほか、上述のような機能の組み合わせを内蔵した携帯型ユニットまたは端末を含めることができるが、これらに限定されるものではない。
【００４４】
本発明の実施形態は、UE 10のDP 10A、およびNode BのDP 12Aによって実行可能なコンピュータ・ソフトウェアによって、またはハードウェア、あるいはソフトウェアとハードウェアとの組み合わせによって、実現されるとよい。
【００４５】
MEM10B、12Bおよび14Bは、ローカルの技術環境に適切ないかなるタイプのものであってもよく、さらに、半導体ベースのメモリ・デバイス、磁気メモリ・デバイスおよびシステム、光メモリ・デバイスおよびシステム、固定式メモリおよび取り外し可能メモリなど、あらゆる適切なデータ記憶技術を用いて実現することができる。DP 10A、12Aおよび14Aは、ローカルの技術環境に適切ないかなるタイプのものであってもよく、限定されない例として、1つ以上の汎用コンピュータ、専用コンピュータ、マイクロプロセッサ、デジタル信号プロセッサ（DSP：digital signal processor）、およびマルチコア・プロセッサ・アーキテクチャに基づいたプロセッサが挙げられる。
【００４６】
本発明の代表的な実施形態によれば、Node B(12)などのネットワーク要素が、少なくとも1つのUE 10へ伝送リソースを予め割り当て、それにより、サブフレーム当たりの各割り当てごとに第1層の割り当てテーブルを送信することを回避する。図2は、UE 10へ伝送リソースを周期的に周波数−時間領域に割り当てる限定されない一例を示す。本例では、割り当てられたサブフレームにおける周波数領域でのローカライズド型伝送を想定しているが、当然のことながら、本手順を一般化させて、サブフレームごとの周波数領域でのディストリビュート型伝送を用いる場合を対象として含めることもできる。図2の例は、UE 10に対して継続的割り当てのみを使用する場合を示している。一方、図3に示すように、継続的割り当ておよびワン・タイムの割り当ての双方を使用するハイブリッド型手法を適応させることもできる。このことは、与えられた継続的割り当てが何らかの比較的短い（一時的な）期間に対して不足していることが判明した場合に、UE 10への容量割り当てを一時的に増加させることを可能にする。
【００４７】
なお、図2の例では、UE 10は、連続する各サブフレームにおいて同じ周波数帯域を割り当てられており、それに対して図3の例では、UE 10は、サブフレームごとに異なる周波数帯域を割り当てられている。
【００４８】
さらに、図2および3に示す代表的な継続的割り当て方式は、いずれもULおよび／またはDLに適用可能であることにも留意すべきである。
【００４９】
本発明の代表的な実施形態による継続的割り当ての使用が特に適するのは、これに限るものではないが一定またはほぼ一定のビット・レートを要するサービスであり、限定されない2つの例としてVoIPおよびストリーミングが挙げられ、ここではUE 10によって伝送リソースがいくつ必要とされるかが予め分かっている。
【００５０】
本発明の代表的な実施形態による継続的割り当ての使用は、UTRAN LTEに準拠したシグナリング方式を提供する。図4を参照すると、Node B(12)のプロトコル・スタック12Eのブロック図が示されている。第1層（L1）は物理（PHY）層30であり、第2層（L2）はMAC層32であり、第3層（L3）は無線ネットワーク層（RNL）34である。第3層の上には、通常、IP層36、QoSエージェント38、およびセキュリティ・エージェント40など、その他の層、エージェント、およびエンティティがあるが、本発明を理解する上で特に密接に関係するものではない。図4では、L3のRRCと、その下にあるL2およびL1のエンティティ群との間に各種の制御（C：control）パス（CPDCP、CMAC、CPHY）があるため、便宜上各種のSAPを示す。物理層30は、物理層制御／管理機能30Aを含み、無線リンク層32は、MAC制御／管理機能32AとPDCP制御／管理機能32Bとを含み、無線ネットワーク層34は、RRC制御／管理機能34Aを含むと想定される。
【００５１】
本発明の代表的な実施形態によれば、L3にあるRRCエンティティ34Aは、UE 10に対するリソースの継続的な割り当てを制御する、継続的割り当て管理機能を含む。新たなデータ・フローが設定されると、RRCエンティティ34Aは、継続的割り当てを使用する必要があるか否かを決定する。継続的割り当てが使用される場合、次いでNode B(12)の一部を成すBTSが、割り当てされるリソースについて、RRCシグナリングを介してUE 10に知らせるほか、CPHY制御メッセージを介してPHY30A（L1）に知らせる。このことが意味するのは、各割り当てに関しUE 10に対して（割り当てテーブルを介した）個別のL1シグナリングを使用することが回避されるということであり、これによりシグナリング・オーバーヘッドが低減されるため、重要な利点を提供することができる。
【００５２】
UE 10への通知を行うのにRRC（L3）シグナリングを利用するので、シグナリング・メッセージは、UE 10においてL3にて受信される。受信されたシグナリング・メッセージの中の情報は、その後UEのPHYへと伝えられる。
【００５３】
限定されない例として、RRCシグナリング・メッセージおよび／またはCPHY制御メッセージには、以下を含めることができる：周波数リソース（単数または複数）ID、繰り返し関数（例えばX TTIごとに1回など）、SFN mod X（例えば、Node B(12)およびUE 10における割り当てを「同期させる」こと、など）、ホッピング・シーケンス（例えば、割り当てられた周波数リソースが周期的に変化して周波数ダイバーシティをもたらす場合など）。別の実施形態では、RRCシグナリング・メッセージおよび／またはCPHY制御メッセージには、割り当ての「継続時間」を示すパラメータを含めてもよい。さらなる実施では、Node Bが以前に割り当てられた継続的割り当てをリリースする特定のメッセージを送信することにより、上述のような継続時間のパラメータが不要となっていてもよい。
【００５４】
継続的割り当て管理機能による、継続的割り当てを使用するか否かの判断は、限定されない例として、以下のうちの1つ以上に基づかせるとよい：設定されているデータ・フローのタイプ（例えば、VoIP、ストリーミングなど）、データ・フローを設定しているUE 10の何らかの特定のQoS要求、セル内のアクティブなUE群の総数、他のUEによって現在使用中のデータ・フロー（およびリソース割り当て）のタイプ、ネットワークの現在の負荷、特にL1の制御シグナリング（例えば、割り当てテーブルなど）に起因するDLの負荷。本発明の代表的な実施形態による継続的割り当ての使用は、高負荷の状態にある間、特に有利となることが考えられる。
【００５５】
本手法の使用および柔軟性をさらに向上させるために、Node BのMAC層パケット・スケジューラ（MACエンティティ32Aの一部）を有効にして、UE 10への新たな継続的割り当て、および／または現行の継続的割り当てのより高いまたは低いデータ・レートへの修正を、提案させてもよい。このことは、MAC層32におけるスループット監視およびバッファ情報を利用可能にするため、望ましい。ただし、無線ネットワーク層34に常駐している継続的割り当て管理機能が、L2のMACエンティティ32Aパケット・スケジューラから受信した提案に応じるか否かに関して最終的な判断を下す。
【００５６】
なお、L3にある継続的割り当て管理機能は、L1（PHY）など他の層から、継続的リソース割り当てに影響を及ぼすような入力（例えば、チャネル品質表示など）を受信するとよいことにも留意すべきである。一般に、継続的割り当て管理機能がPHYによって提供されるセル・ベースおよびリンク・ベース双方の測定値を利用することができるように、継続的割り当て管理機能とPHYとの間のインターフェースは、可能な限り一般的にすることが好まれると考えられる。PHYによって継続的割り当て管理機能へ提供されるとよい情報の他の例としては、リソース・プール（周波数および／または時間）当たりの負荷の1つまたは両方、および或る特定のUE 10へ継続的に割り当てされるのに最適なMCS（モジュレーションおよびコーディング方式：Modulation and Coding Scheme）が挙げられるが、必ずしもこれらに限定されない。
【００５７】
なお、この追加的な実施形態は任意的なものであって、本発明の代表的な実施形態による継続的割り当て技術を実現するのに必須のものではない。
【００５８】
図5は、本発明の代表的な実施形態を実行する方法の限定されない一例を示したフロー図を表す。本方法には、ワイヤレス・ネットワーク無線ネットワーク層での単一のシグナリング・イベントによって、複数の時間間隔にわたるデータ・フローに関しユーザ機器へリソースを割り当てること（501）と、割り当てられたリソースについてユーザ機器に知らせること（502）とが含まれる。
【００５９】
別の実施形態では、本方法には、さらに、割り当てられたリソースについて物理層の制御／管理機能に知らせることが含まれる。さらなる実施形態では、割り当てられたリソースについて物理層の制御／管理機能に知らせることが、少なくとも1つのCPHY制御メッセージを使用することを含む。別の実施形態では、設定されている新たなデータ・フローに応えて割り当てが実行される。さらなる実施形態では、割り当てられたリソースについてユーザ機器に知らせることが、無線リソース制御シグナリングを使用することを含む。別の実施形態では、割り当てることが、無線ネットワーク層において入手可能な情報のみを考慮することを含む。
【００６０】
さらなる実施形態では、割り当てることが、無線ネットワーク層以外の少なくとも1つの層から得られる情報を少なくとも部分的に考慮することを含む。別の実施形態では、情報は、以下のうちの少なくとも1つを含む：セル・ベースの測定値、リンク・ベースの測定値、チャネル品質表示、周波数リソース・プール当たりの負荷、時間リソース・プール当たりの負荷、ならびにモジュレーションおよびコーディング方式。さらなる実施形態では、情報は、物理層のコンポーネントから得られる。別の実施形態では、情報は、媒体アクセス制御層のコンポーネントから得られる。
【００６１】
別の実施形態では、本方法には、さらに、ユーザ機器の無線リソース要求の変動に対応するように、少なくとも1つのリソースを割り当てることが含まれる。さらなる実施形態では、新たな割り当て、または現行の割り当ての修正のうちの1つを提案する、Node Bの媒体アクセス制御層パケット・スケジューラに応えて、割り当てが実行される。別の実施形態では、本方法が、さらに、各々のデータ・フローに関して継続的割り当てを使用または修正する必要があるか否かを判断することを含み、当該割り当てることには、各々のデータ・フローに関して継続的割り当てを使用または修正する必要があるとの判断に応えて、各々のデータ・フローに関して継続的割り当てを割り当てることが含まれる。さらなる実施形態では、各々のデータ・フローに関して継続的割り当ての使用または修正が必要であるか否かを判断することが、以下のうちの少なくとも1つを考慮することを含む：各々のデータ・フローのタイプ、各々のデータ・フローに関連する各々のユーザ機器のQoS要求、セル内のアクティブなユーザ機器の総数、他のユーザ機器によって現在使用中のデータ・フローのタイプ、他のユーザ機器のリソース割り当て、関連するネットワークの現在の負荷。別の実施形態では、複数の時間間隔には、複数のサブフレームが含まれる。
【００６２】
上記に基づいて当然明らかであるように、本発明の代表的な実施形態は、UEへのシグナリング量を低減するために、単一のシグナリング・イベントによって、複数のサブフレーム間隔に対してUEへ選択的にリソースを割り当てるための継続的割り当て管理機能をワイヤレス・ネットワーク・コンポーネントの無線ネットワーク層にて備える方法、装置およびコンピュータ・プログラム（単数または複数）を提供する。継続的割り当ては、無線ネットワーク層において入手可能な情報にのみ従って行われてもよいし、または無線リンク層など、単数または複数の別の層から得られる情報に従って行われてもよい。継続的リソース割り当ては、特定のUEによる無線リソース要求の変動に対応するように、ワン・タイムのリソース割り当てと併せて行われてもよい。
【００６３】
上述したように、上記の代表的な実施形態は、UTRAN−LTEシステムとの関連で説明されているが、当然のことながら、本発明の代表的な実施形態は、この1つの特定タイプのワイヤレス通信システムでの使用に限定されるものではなく、他のワイヤレス通信システムにおいても効果的に使用することができる。
【００６４】
一般に、多様な実施形態が、ハードウェア、もしくは専用回路、ソフトウェア、論理またはこれらの任意の組み合わせにおいて実現されるとよい。例えば、一部の態様はハードウェア内で実現されてもよく、一方で別の態様は、コントローラ、マイクロプロセッサまたは他のコンピュータ・デバイスによって実行され得るファームウェアあるいはソフトウェア内に実現されてもよいが、本発明はそれらに限定されるものではない。本発明の多様な態様について、ブロック図、フロー図、または他の何らかの図形的表現を用いて図示し説明することができるが、一方、当然のことながら、本明細書に記載されたこれらのブロック、装置、システム、技術または方法は、限定されない例として、ハードウェア、ソフトウェア、ファームウェア、専用回路または論理、汎用ハードウェアもしくはコントローラまたは他のコンピュータ・デバイス、あるいはこれらの何らかの組み合わせにおいて実現されてもよい。
【００６５】
本発明の実施形態は、集積回路モジュールなど多様なコンポーネントの中で実行することができる。集積回路の設計は、概して高度に自動化されている工程である。論理レベルの設計を、半導体基板上にそのままエッチングおよび形成できるような半導体回路設計へと変換するための、複雑かつ強力なソフトウェア・ツールが利用可能となっている。
【００６６】
カリフォルニア州マウンテン・ビュー（Mountain View）のシノプシス社（Synopsys，Inc.）、およびカリフォルニア州サン・ノゼ（San Jose）のケイデンス・デザイン社（Cadence Design）によって提供されているようなプログラムでは、確立した設計ルールのほか、事前に保存した設計モジュールのライブラリを使用して、半導体チップ上の導体ルーティングおよびコンポーネント設置を自動的に行う。半導体回路の設計が完成したら、標準化された電子形式（例えばOpus、GDSIIまたは同様のもの）で得られた設計を、半導体製造施設すなわち「fab」へ、製造のために伝送すればよい。
【００６７】
当業者には、付属の図面と併せて読むと、上記の説明に鑑み多様な変更および調節が明らかとなると考えられる。しかし、本発明の教示のありとあらゆる変更も、本発明の限定されない実施形態の範囲内に含まれる。
【００６８】
さらに、本発明の多様な限定されない実施形態の一部の機能を利用し、他の機能を相応に利用しなくても、効果を得ることができる。このように、上記の記述は、本発明の原理、教示および代表的な実施形態の説明的なものに過ぎず、これらを制限するものと見なしてはならない。
【図１】
2009525656.tif 000003
【図２】
2009525656.tif 000004
【図３】
2009525656.tif 000005
【図４】
2009525656.tif 000006
【図５】
2009525656.tif 000007
【国際調査報告】
2009525656.tif 000008
2009525656.tif 000009
2009525656.tif 000010
2009525656.tif 000011